(57)【要約】【課題】、ユーザがより容易に音楽を放送している放送チャネルを利用できる「放送受信機」を提供する。【解決手段】ユーザの音楽チャネルサーチ指示操作に応じて、音楽放送中チャネルサーチ処理を実行する。音楽放送中チャネルサーチ処理では、チューナ２に受信させる放送チャネルを、順次、切り替えながら、音楽を放送中の放送チャネルを探索し、音楽を放送中の放送チャネルが発見されたならば、発見した放送チャネルを以降の受信チャネルに設定する。【選択図】図１
2010200246.tif 000002
【特許請求の範囲】
【請求項１】
音声を含む放送を受信する放送受信機であって、
複数の放送チャネルの内から出力対象チャネルとして設定された放送チャネルで行われている放送を受信するチューナと、
前記チューナが受信した前記出力対象チャネルで行われている放送に含まれる音声を出力する音声出力手段と、
前記チューナが受信可能な放送チャネルの内から音楽の音声を含む放送が行われている放送チャネルを探索し、前記出力対象チャネルとして前記チューナに設定する音楽放送中チャネル探索手段とを有することを特徴とする放送受信機。
【請求項２】
請求項１記載の放送受信機であって、
前記音楽放送中チャネル探索手段は、前記チューナが放送を受信する放送チャネルを順次切り替えながら、前記チューナが受信した放送に含まれる音声が音楽の音声としての特徴を備えている放送チャネルを探索することにより、前記音楽の音声を含む放送が行われている放送チャネルを探索することを特徴とする放送受信機。
【請求項３】
請求項１記載の放送受信機であって、
前記各放送チャネルの放送は音声と共に、現在当該放送チャネルにおいて音楽を放送中であるか否を示す付加情報を含むものであり、
前記音楽放送中チャネル探索手段は、前記チューナが放送を受信する放送チャネルを順次切り替えながら、前記チューナが受信した放送に含まれる付加情報が音楽の放送中であることを表している放送チャネルを探索することにより、前記音楽の音声を含む放送が行われている放送チャネルを探索することを特徴とする放送受信機。
【請求項４】
請求項１、２または３記載の放送受信機であって、
前記音楽放送中チャネル探索手段は、ユーザからの音楽放送中チャネル探索指示に応答して、前記チューナが受信可能な放送チャネルの内から音楽の音声を含む放送が行われている放送チャネルを探索し、前記出力対象チャネルとして前記チューナに設定することを特徴とする放送受信機。
【請求項５】
請求項１、２または３記載の放送受信機であって、
前記チューナが受信した前記出力対象チャネルで行われている放送に含まれる音声が音楽の音声でない期間でない音楽不放送期間が所定期間以上継続したことを検出する音楽外放送検出手段を備え、
前記音楽放送中チャネル探索手段は、前記音楽外放送検出手段が、前記音楽不放送期間が所定期間以上継続したことを検出したときに、前記チューナが受信可能な放送チャネルの内から音楽の音声を含む放送が行われている放送チャネルを探索し、前記出力対象チャネルとして前記チューナに設定することを特徴とする放送受信機。
【請求項６】
音声を含む放送を受信する放送受信機であって、
複数の放送チャネルの内から出力対象チャネルとして設定された放送チャネルで行われている放送を受信するチューナと、
前記チューナが受信した前記出力対象チャネルで行われている放送に含まれる音声を出力する音声出力手段と、
前記チューナが受信可能な放送チャネルの内から、音楽ではない音声を含む放送が行われている放送チャネルを探索し、前記出力対象チャネルとして前記チューナに設定する音楽放送中チャネル探索手段とを有することを特徴とする放送受信機。
【発明の詳細な説明】
【技術分野】
【０００１】
本発明は、ラジオ放送等の音声をコンテンツとして含む放送を受信する放送受信機に関するものである。
【背景技術】
【０００２】
音声をコンテンツとして含む放送を受信する放送受信機に関する技術としては、放送受信機で受信した音声中の、音楽の各音階に対応する周波数帯成分のエネルギーに基づいて、受信した音声が音楽の音声であるか否かを判定し、受信した音声が音楽の音声を表す時間区間について、受信した音声を記録する技術が知られている（たとえば、特許文献１）。
また、音声をコンテンツとして含む放送を受信する放送受信機に関する技術としては、放送受信機で音声と共に放送局から受信した、放送中の音声が音楽の音声か会話の音声であるかを表す付加情報に基づいて、受信した音声が音楽の音声を表す時間区間について、受信した音声を記録する技術も知られている（たとえば、特許文献２）。
また、音声が音楽の音声であるか否かを判別する技術としては、音楽の音声の周波数成分が比較的広域側に多く分布し、会話の音声の周波数成分が比較的低域側に多く分布することを利用して、音声が音楽の音声であるか否かを判別する技術が知られている（たとえば、特許文献３）。
【先行技術文献】
【特許文献】
【０００３】
【特許文献１】特開2008-79047号公報
【特許文献２】特開2000-13337号公報
【特許文献３】特開2008-26662号公報
【発明の概要】
【発明が解決しようとする課題】
【０００４】
従来、放送受信機を用いて音楽を楽しみたいユーザは、音楽を放送している放送チャネルを探し出すために、放送受信機で受信する放送チャネルを自動もしくは手動で順次切り替えながら、各放送チャネルで音楽を放送しているか否かを自身で聴き取って確認する煩雑な作業を行う必要があった。
そこで、本発明は、ユーザがより容易に音楽を放送している放送チャネルを利用できるようにすることを課題とする。
【課題を解決するための手段】
【０００５】
前記課題達成のために、本発明は、音声を含む放送を受信する放送受信機に、複数の放送チャネルの内から出力対象チャネルとして設定された放送チャネルで行われている放送を受信するチューナと、前記チューナが受信した前記出力対象チャネルで行われている放送に含まれる音声を出力する音声出力手段と、前記チューナが受信可能な放送チャネルの内から音楽の音声を含む放送が行われている放送チャネルを探索し、前記出力対象チャネルとして前記チューナに設定する音楽放送中チャネル探索手段とを備えたものである。
ここで、より詳細には、前記音楽放送中チャネル探索手段は、たとえば、前記チューナが放送を受信する放送チャネルを順次切り替えながら、前記チューナが受信した放送に含まれる音声が音楽の音声としての特徴を備えている放送チャネルを探索することにより、前記音楽の音声を含む放送が行われている放送チャネルを探索するものとしてもよい。また、前記各放送チャネルの放送が、音声と共に、現在当該放送チャネルにおいて音楽を放送中であるか否を示す付加情報を含むものである場合には、前記音楽放送中チャネル探索手段を、前記チューナが放送を受信する放送チャネルを順次切り替えながら、前記チューナが受信した放送に含まれる付加情報が音楽の放送中であることを表している放送チャネルを探索することにより、前記音楽の音声を含む放送が行われている放送チャネルを探索するように構成してもよい。
また、以上のような放送受信機においては、前記音楽放送中チャネル探索手段を、ユーザからの音楽放送中チャネル探索指示に応答して、前記チューナが受信可能な放送チャネルの内から音楽の音声を含む放送が行われている放送チャネルを探索し、前記出力対象チャネルとして前記チューナに設定するように構成してもよい。
また、以上のような放送受信機に、さらに、前記チューナが受信した前記出力対象チャネルで行われている放送に含まれる音声が音楽の音声でない期間でない音楽不放送期間が所定期間以上継続したことを検出する音楽外放送検出手段を設け、前記音楽放送中チャネル探索手段において、前記音楽外放送検出手段が、前記音楽不放送期間が所定期間以上継続したことを検出したときに、前記チューナが受信可能な放送チャネルの内から音楽の音声を含む放送が行われている放送チャネルを探索し、前記出力対象チャネルとして前記チューナに設定するようにしてもよい。
これらのような放送受信機によれば、音楽放送中チャネル探索手段が、前記チューナが受信可能な放送チャネルの内から音楽の音声を含む放送が行われている放送チャネルを探索し、前記出力対象チャネルとして前記チューナに設定するので、ユーザは、音楽を放送している放送チャネルを自ら探し出すことなく、より容易に音楽を放送している放送チャネルを利用できるようになる。
なお、以上のような放送受信機において、前記音楽放送中チャネル探索手段を、前記チューナが受信可能な放送チャネルの内から、音楽ではない音声を含む放送が行われている放送チャネルを探索し、前記出力対象チャネルとして前記チューナに設定する音楽放送中チャネル探索手段に置き換えるようにしてもよい。このようにすることにより、ユーザは、音楽以外の会話などを放送している放送チャネルを自ら探し出すことなく、より容易に音楽以外の会話などを放送している放送チャネルを利用できるようになる。
【発明の効果】
【０００６】
以上のように、本発明によれば、ユーザがより容易に音楽を放送している放送チャネルを利用できるようになる。
【図面の簡単な説明】
【０００７】
【図１】本発明の第１実施形態に係るラジオ受信機の構成を示すブロック図である。
【図２】本発明の第１実施形態に係る音楽放送中チャネルサーチ処理を示すフローチャートである。
【図３】本発明の第２実施形態に係るラジオ受信機の構成を示すブロック図である。
【発明を実施するための形態】
【０００８】
以下、本発明の実施形態について、自動車に搭載されるラジオ受信機への適用を例にとり説明する。
まず、第１の実施形態について説明する。
図１に、本第１実施形態に係るラジオ受信機の構成を示す。
図示するようにラジオ受信機は、アンテナ１、チューナ２、アンプ３、スピーカ４、制御部５、操作部６、表示部７、メモリ８、音楽音声判定部９とを備えている。
制御部５は、操作部６を介してユーザからの選局操作を受け付け、選局された放送チャネルの受信をチューナ２に指示する。チューナ２は、受信を指示された放送チャネルに受信チャネルcrChを切り替え、受信チャネルcrChで受信した音声を、アンプ３を介してスピーカ４から出力する。
ここで、メモリ８には、その時点でラジオ受信機で受信可能な各放送チャネルの放送周波数等の、その時点でラジオ受信機で受信可能な各放送チャネルを受信するための情報が、プリセットチャネル情報として登録されている。
さて、このような構成において、制御部５は、ユーザの操作部６に対する音楽チャネルサーチ指示操作に応じて、音楽放送中チャネルサーチ処理を行う。なお、この、ユーザの音楽チャネルサーチ指示は、操作部６に音楽チャネルサーチ指示操作受け付け専用のボタンを設けて受け付けるようにしてもよい。
さて、図２に、音楽放送中チャネルサーチ処理の手順を示す。
図示するように、この処理では、まず、その時点でチューナ２が受信している放送チャネルである受信チャネルcrChを、サーチ開始時チャネルstChに設定する（ステップ２０２）。
そして、チューナ２に受信させる受信チャネルcrChを、現在、受信チャネルcrChとなっている放送チャネルの次の放送チャネルcrCh+1に切り替える（ステップ２０４）。
ここで、受信チャネルcrChとなっている放送チャネルＡの次の放送チャネルcrCh+1とは、メモリ８に、登録されているプリセットチャネル情報の順番が、放送チャネルＡのプリセットチャネル情報の次の順番の放送チャネルである。また、メモリ８に最後に登録されているプリセットチャネル情報の放送チャネルの次の放送チャネルは、メモリ８に最初に登録されているプリセットチャネル情報の放送チャネルとする。
ただし、受信チャネルcrChとなっている放送チャネルＡの次の放送チャネルcrCh+1とは、放送チャネルＡからチューナ２の受信周波数を漸増させながら受信可能な放送チャネルを探索する周波数サーチによって最初に見つかった放送チャネルとしてもよい。なお、周波数サーチでは、受信周波数の漸増によって、チューナ２の受信周波数が受信対象周波数帯の最大周波数に到ったならば、受信対象周波数帯の最小周波数に戻って、当該最小周波数からチューナ２の受信周波数を漸増させる。
さて、このようにして、チューナ２に受信させる受信チャネルcrChを、現在、受信チャネルcrChとなっている放送チャネルの次の放送チャネルcrCh+1に切り替えたならば（ステップ２０４）、受信チャネルcrChで音楽を放送中であるか否かを判定する（ステップ２０６）。
ここで、受信チャネルcrChで音楽を放送中であるか否かは、音楽音声判定部９において、チューナ２から出力される受信チャネルcrChの音声が、音楽の音声であるか否を判定することにより行う。音楽音声判定部９における、チューナ２から出力される音声が、音楽の音声であるか否かは、チューナ２から出力される音声が音楽の音声として特徴を備えているか否かに応じて判定する。すなわち、たとえば、上述した特許文献１と同様にチューナ２から出力される音声中の、音楽の各音階に対応する周波数帯成分のエネルギーが所定レベルより大きい場合に音楽の音声であると判定したり、上述した特許文献３と同様に音楽の音声の周波数成分が比較的広域側に所定レベル以上多く分布している場合に音楽の音声であると判定することにより行う。
そして、受信チャネルcrChで音楽を放送中であると判定された場合には（ステップ２０６）、そのまま音楽放送中チャネルサーチ処理を終了する。
一方、受信チャネルcrChで音楽を放送中でないと判定された場合には（ステップ２０６）、受信チャネルcrChがサーチ開始時チャネルstChと一致しているかどうかを調べ（ステップ２０８）、一致している場合には、現在音楽を放送中の放送チャネルが存在しないものとして、そのまま音楽放送中チャネルサーチ処理を終了する。
一方、受信チャネルcrChがサーチ開始時チャネルstChと一致していない場合には（ステップ２０８）、ユーザの音楽放送中チャネルサーチ処理終了指示が発生しているかどうかを調べ（ステップ２１０）、発生していればそのまま音楽放送中チャネルサーチ処理を終了し、発生していなければステップ２０４に戻って、当該時点における受信チャネルcrChの次の放送チャネルcrCh+1に切り替えからの処理を繰り返す。
以上、音楽放送中チャネルサーチ処理について説明した。
なお、制御部５は、音楽放送中チャネルサーチ処理実行中は、スピーカ４からの音声出力をミュートするようにしてもよい。すなわち、制御部５は、アンプ３を制御して音量を０としてから、音楽放送中チャネルサーチ処理を開始し、音楽放送中チャネルサーチ処理が終了したならば、アンプ３を制御して音量を、音量を０とする前の音量に復帰するようにしてもよい。
以上、本発明の第１の実施形態について説明した。
以下、本発明の第２の実施形態について説明する。
本第２実施形態は、ラジオ受信機が、音声データと共に情報データを送信するデジタルラジオ放送を受信するラジオ受信機である場合についてのものであり、図３に示すように本第２実施形態に係るラジオ受信機は、アンテナ１１、チューナ１２、データ分離部１３、音声デコード部１４、アンプ１５、スピーカ１６、制御部１７、操作部１８、表示部１９、メモリ２０とを備えている。
このような構成において、制御部１７は、操作部１８を介してユーザからの選局操作を受け付け、選局された放送チャネルの受信をチューナ１２に指示する。チューナ１２は、受信を指示された放送チャネルに受信チャネルcrChを切り替え、受信チャネルcrChのペイロードを復調し、データ分離部１３に出力する。データ分離部１３は、チューナ１２から受け取った受信チャネルcrChのペイロードデータから、情報データを抽出し、制御部１７に出力する。また、データ分離部１３は、チューナ１２から受信チャネルcrChのペイロードデータからオーディオデータを抽出し、音声デコード部１４に出力する。
【０００９】
音声デコード部１４は、受信チャネルcrChのオーディオデータを復号した上でアナログ信号に変換して、アンプ１５を介してスピーカ１６に出力する。
ここで、このようにしてデータ分離部１３から制御部１７に送られる情報データには、同じペイロードで現在送信している音声データの音声が音楽の音声か会話の音声であるかを表す情報であるコンテンツタイプが含まれている。
さて、本第２実施形態においても、制御部１７は、ユーザの操作部１８に対する音楽チャネルサーチ指示操作に応じて、図２に示した音楽放送中チャネルサーチ処理を行う。
ただし、本第２実施形態の音楽放送中チャネルサーチ処理のステップ２０６では、データ分離部から受け取っている情報データに含まれるコンテンツタイプが、同じペイロードで現在送信している音声データの音声が音楽の音声であることを表している場合に、受信チャネルcrChで音楽を放送中であると判定するようにする。
以上、本発明の実施形態について説明した。
このように、本実施形態に係るラジオ受信機によれば、音楽放送中チャネルサーチ処理によって、チューナが受信可能な放送チャネルの内から音楽の音声を含む放送が行われている放送チャネルを探索し、以降の受信チャネルとしてチューナに設定するので、ユーザは、音楽を放送している放送チャネルを自ら探し出すことなく、より容易に音楽を放送している放送チャネルを利用できるようになる。
【００１０】
ところで、以上の第１、第２実施形態では、音楽放送中チャネルサーチ処理をユーザの音楽チャネルサーチ指示操作に応じて行うようにしたが、音楽放送中チャネルサーチ処理は、制御部５/１７において、常時、受信チャネルcrChが音楽を放送しているかどうかを監視するようにし、受信チャネルcrChで所定期間（たとえば、１５秒）以上音楽が放送されなかった場合に、自動的に、音楽放送中チャネルサーチ処理を行うように構成してもよい。
また、以上の実施形態では、音楽放送中チャネルサーチ処理において、音楽を放送中の放送チャネルをサーチして、以降の受信チャネルcrChに設定するようにしたが、音楽放送中チャネルサーチ処理に代えて、逆に、音楽以外を放送中の放送チャネルをサーチして、以降の受信チャネルcrChに設定する音楽以外放送中チャネルサーチ処理を行うようにしてもよい。ここで、このような音楽以外放送中チャネルサーチ処理は、図２に示した音楽放送中チャネルサーチ処理のステップ２０６を、受信チャネルcrChで音楽を放送中であると判定された場合には、ステップ２０８に進み、受信チャネルcrChで音楽を放送中でないと判定された場合には、そのまま音楽放送中チャネルサーチ処理を終了するステップとすることにより実現できる。なお、このような音楽以外放送中チャネルサーチ処理を行う場合には、制御部５/１７において、常時、受信チャネルcrChが音楽を放送しているかどうかを監視するようにし、受信チャネルcrChで所定期間（たとえば、１５秒）以上音楽が放送された場合に、自動的に、音楽以外放送中チャネルサーチ処理を行うように構成してもよい。
このように、音楽以外放送中チャネルサーチ処理を行うことにより、ユーザは、音楽以外の会話などを放送している放送チャネルを自ら探し出すことなく、より容易に音楽以外の会話などを放送している放送チャネルを利用できるようになる。
なお、以上の実施形態は、音楽放送中チャネルサーチ処理や、音楽以外放送中チャネルサーチ処理は、ラジオ受信機のみならず、テレビ受信機などの音声をコンテンツとして含む放送を行う放送受信機に同様に適用することができる。
【符号の説明】
【００１１】
１…アンテナ、２…チューナ、３…アンプ、４…スピーカ、５…制御部、６…操作部、７…表示部、８…メモリ、９…音楽音声判定部、１１…アンテナ、１２…チューナ、１３…データ分離部、１４…音声デコード部、１５…アンプ、１６…スピーカ、１７…制御部、１８…操作部、１９…表示部。
【図１】
2010200246.tif 000003
【図２】
2010200246.tif 000004
【図３】
2010200246.tif 000005